(57)【特許請求の範囲】
【請求項１】
複数のショート伝送時間間隔（ｓＴＴＩ）の伝送をスケジューリングするための無線通信ネットワーク（１０）のネットワークノード（１４）の動作方法であって、
２つ以上のｓＴＴＩ伝送のために制御情報メッセージを無線装置（１２）に送信すること（１００）を含み、
前記制御情報メッセージは、
前記２つ以上のｓＴＴＩ伝送のための２つ以上のスケジューリングされたダウンリンクｓＴＴＩを示すダウンリンクスケジューリング情報であって、前記２つ以上のｓＴＴＩ伝送のための前記２つ以上のスケジューリングされたｓＴＴＩのタイミングのインジケーションと、スケジューリングされたｓＴＴＩの数を示すビットフィールドとを含む前記ダウンリンクスケジューリング情報を含み、
前記２つ以上のｓＴＴＩ伝送のための２つ以上のスケジューリングされたアップリンクｓＴＴＩを示すアップリンクスケジューリング情報であって、前記２つ以上のｓＴＴＩ伝送のための前記２つ以上のスケジューリングされたｓＴＴＩのためのタイミングのインジケーション、および／または前記２つ以上のｓＴＴＩ伝送のための前記２つ以上のスケジューリングされたｓＴＴＩのための復調参照信号（ＤＭＲＳ）設定のインジケーションを含む前記アップリンクスケジューリング情報を選択的に含み、
２つ以上のｓＴＴＩ伝送の複数の可能な組み合わせは事前に定義され、前記ビットフィールドは前記複数の可能な組み合わせのうちのいずれかを示す、方法。
【請求項２】
前記２つ以上のスケジューリングされたｓＴＴＩは、時間領域において連続している、請求項１に記載の方法。
【請求項３】
前記制御情報メッセージは、物理ダウンリンク制御チャネル上で送信される、請求項１または２に記載の方法。
【請求項４】
前記制御情報メッセージは、ｓＴＴＩ伝送をスケジューリングするために使用されるショート物理ダウンリンク制御チャネル上で送信される、または、アップリンクｓＴＴＩ伝送およびダウンリンクｓＴＴＩ伝送の両方をスケジューリングするために使用される物理ダウンリンク制御チャネルまたはショート物理ダウンリンク制御チャネルのいずれかで送信される、請求項１または２に記載の方法。
【請求項５】
ショート物理ダウンリンク制御チャネルは、レガシー制御領域を除いて、各ダウンリンクｓＴＴＩ伝送において送信される、請求項４に記載の方法。
【請求項６】
前記２つ以上のスケジューリングされたｓＴＴＩは、固定されたスケジューリングタイミングと、前記スケジューリングされたｓＴＴＩの数を示す前記制御情報メッセージの前記ビットフィールドとによって判定される、請求項１から５の何れか１項に記載の方法。
【請求項７】
前記制御情報メッセージに含まれる前記ビットフィールドは、前記制御情報メッセージを含むダウンリンクｓＴＴＩ伝送のインデックスと共に、前記２つ以上のｓＴＴＩ伝送の前記複数の可能な組み合わせのうちの１つを、前記２つ以上のｓＴＴＩ伝送のための選択されたｓＴＴＩの組み合わせとして明示的に示す、請求項１から５の何れか１項に記載の方法。
【請求項８】
前記制御情報メッセージに含まれる前記ビットフィールドは、前記２つ以上のｓＴＴＩ伝送の複数の可能な組み合わせのうちの１つを、前記２つ以上のｓＴＴＩ伝送のためのｓＴＴＩの選択された組み合わせとして明示的に_示し、選択的に、前記制御情報メッセージは、複数のｓＴＴＩを備える伝送時間間隔（ＴＴＩ）のための物理ダウンリンク制御チャネルに含まれる、請求項１から５の何れか１項に記載の方法。
【請求項９】
前記２つ以上のｓＴＴＩ伝送の複数の可能な組み合わせの各々のための復調参照信号（ＤＭＲＳ）設定が事前設定される、前記制御情報メッセージは、前記２つ以上のｓＴＴＩ伝送のための復調参照信号（ＤＭＲＳ）設定を示す第２のビットフィールドを含む、または、前記制御情報メッセージは、前記スケジューリングされたｓＴＴＩの数と共に、前記２つ以上のｓＴＴＩ伝送のための復調参照信号（ＤＭＲＳ）設定を示す第２のビットフィールドを含む、請求項７または８に記載の方法。
【請求項１０】
前記ＤＲＭＳ設定は、前記２つ以上のスケジューリングされたｓＴＴＩのためのＤＭＲＳシンボルの数および／またはＤＭＲＳシンボル位置を備える、請求項９に記載の方法。
【請求項１１】
前記制御情報メッセージは、スケジューリングされたｓＴＴＩの数を示す第１のビットフィールドと、前記２つ以上のスケジューリングされたｓＴＴＩのうちの少なくとも第１のスケジューリングされたｓＴＴＩのタイミングを示す第２のビットフィールドとを含み、前記２つ以上のスケジューリングされたｓＴＴＩは、前記スケジューリングされたｓＴＴＩの数を示す前記制御情報メッセージの前記第１のビットフィールドと、少なくとも前記第１のスケジューリングされたｓＴＴＩの前記タイミングを示す前記制御情報メッセージの前記第２のビットフィールドとによって判定される、請求項１から５のいずれか１項に記載の方法。
【請求項１２】
前記スケジューリング情報は、前記２つ以上のスケジューリングされたｓＴＴＩとして１つ以上のスロットにおける全てのｓＴＴＩをスケジューリングするスロットベースのマルチｓＴＴＩスケジューリング情報である、請求項１から５のいずれか１項に記載の方法。
【請求項１３】
前記制御情報メッセージの伝送は、物理ダウンリンク制御チャネルに限定される、または、前記制御情報メッセージの伝送は、サブフレームの第２のスロットにおける物理ダウンリンク制御チャネルおよび第１のｓＴＴＩに限定される、請求項１２に記載の方法。
【請求項１４】
ＤＭＲＳシンボルの数およびＤＭＲＳシンボル位置の両方を含む復調参照信号（ＤＭＲＳ）設定は、２つ以上のスケジューリングされたｓＴＴＩの複数の可能な組合せのそれぞれについて、事前設定またはシグナリングによって設定される、または、ＤＭＲＳシンボルの数およびＤＭＲＳシンボル位置の両方を含む、前記２つ以上のスケジューリングされたｓＴＴＩのための復調参照信号（ＤＭＲＳ）設定が、前記制御情報メッセージの別個のビットフィールドによって判定される、請求項１から８および１１から１３のいずれか１項に記載の方法。
【請求項１５】
複数のショート伝送時間間隔（ｓＴＴＩ）の伝送をスケジューリングするための無線通信ネットワーク（１０）のためのネットワークノード（１４）であって、
少なくとも１つのプロセッサ（４０、５８）と、
前記少なくとも１つのプロセッサ（４０、５８）によって実行可能な命令を記憶するメモリ（４２、６０）であって、前記ネットワークノード（１４）が請求項１から１４のいずれか１項に記載の方法を実行するように動作可能なメモリ（４２、６０）と、
を含むネットワークノード（１４）。
【請求項１６】
無線通信ネットワーク（１０）における無線装置（１２）の動作方法であって、
ネットワークノード（１４）から、２つ以上のショート伝送時間間隔（ｓＴＴＩ）の伝送のための制御情報メッセージを受信すること（１００）と、
前記制御情報メッセージに従って前記２つ以上のｓＴＴＩ伝送を送信および／または受信すること（１０２）と、
を含み、前記制御情報メッセージは、
前記２つ以上のｓＴＴＩ伝送のための２つ以上のスケジューリングされたダウンリンクｓＴＴＩを示すダウンリンクスケジューリング情報であって、前記２つ以上のｓＴＴＩ伝送のための前記２つ以上のスケジューリングされたｓＴＴＩのタイミングのインジケーションと、スケジューリングされたｓＴＴＩの数を示すビットフィールドとを含む前記ダウンリンクスケジューリング情報を含み、
前記２つ以上のｓＴＴＩ伝送のための２つ以上のスケジューリングされたアップリンクｓＴＴＩを示すアップリンクスケジューリング情報であって、前記２つ以上のｓＴＴＩ伝送のための前記２つ以上のスケジューリングされたｓＴＴＩのためのタイミングのインジケーション、および／または前記２つ以上のｓＴＴＩ伝送のための前記２つ以上のスケジューリングされたｓＴＴＩのための復調参照信号（ＤＭＲＳ）設定のインジケーションを含む前記アップリンクスケジューリング情報を選択的に含み、
２つ以上のｓＴＴＩ伝送の複数の可能な組み合わせは事前に定義され、前記ビットフィールドは前記複数の可能な組み合わせのうちのいずれかを示す、方法。
【請求項１７】
無線通信ネットワーク（１０）のための無線装置（１２）であって、
少なくとも１つのトランシーバ（２６）と、
前記少なくとも１つのトランシーバ（２６）に関連する回路（２０）であって、
前記少なくとも１つのトランシーバ（２６）を介してネットワークノード（１４）から、１つ以上のショート伝送時間間隔（ｓＴＴＩ）の伝送のための制御情報メッセージを受信し、
前記少なくとも１つのトランシーバ（２６）を介して、前記制御情報メッセージに従って前記１つ以上のｓＴＴＩ伝送を送信および／または受信する、
ように動作可能な前記回路（２０）と、を含み、
前記制御情報メッセージは、
２つ以上のｓＴＴＩ伝送のための２つ以上のスケジューリングされたダウンリンクｓＴＴＩを示すダウンリンクスケジューリング情報であって、前記２つ以上のｓＴＴＩ伝送のための前記２つ以上のスケジューリングされたｓＴＴＩのタイミングのインジケーションと、スケジューリングされたｓＴＴＩの数を示すビットフィールドとを含む前記ダウンリンクスケジューリング情報を含み、
前記１つ以上のｓＴＴＩ伝送のための１つ以上のスケジューリングされたアップリンクｓＴＴＩを示すアップリンクスケジューリング情報であって、前記２つ以上のｓＴＴＩ伝送のための前記２つ以上のスケジューリングされたｓＴＴＩのためのタイミングのインジケーション、および／または前記２つ以上のｓＴＴＩ伝送のための前記２つ以上のスケジューリングされたｓＴＴＩのための復調参照信号（ＤＭＲＳ）設定のインジケーションを含む前記アップリンクスケジューリング情報を選択的に含み、
２つ以上のｓＴＴＩ伝送の複数の可能な組み合わせは事前に定義され、前記ビットフィールドは前記複数の可能な組み合わせのうちのいずれかを示す、
無線装置（１２）。
【請求項１８】
少なくとも１つのプロセッサ上で実行されると、前記少なくとも１つのプロセッサに、請求項１から１４および１６の何れか１項に記載の方法を実行させる命令を含むコンピュータプログラム。
【発明の詳細な説明】
【技術分野】
【０００１】
＜関連出願＞  
本出願は２０１７年５月５日に出願された仮特許出願第６２／５０２，０８９号の利益を主張し、その開示は、その全体が参照により本明細書に組み込まれる。
【０００２】
＜技術分野＞  
本開示は、無線通信ネットワークにおけるショート伝送時間間隔の伝送をスケジューリングすることに関する。
【背景技術】
【０００３】
１．  １ミリ秒（ｍｓ）の伝送時間間隔（ＴＴＩ）のためのロングタームエボリューション（ＬＴＥ）フレーム構造および物理チャネル  
第３世代パートナーシッププロジェクト（３ＧＰＰ）のＬＴＥシステムではダウンリンク（すなわち、ネットワークノードまたは拡張または発展型ノードＢ（ｅＮＢ）からユーザ装置またはユーザ機器装置（ＵＥ）へ）およびアップリンク（ユーザ装置またはＵＥからネットワークノードまたはｅＮＢへ）の両方におけるデータ伝送は１０ミリ秒（ｍｓ）の無線フレームに編成され、それぞれの無線フレームは図１に示されるように、長さＴｓｕｂｆｒａｍｅ＝１ｍｓの１０個の等しいサイズのサブフレームからなる。
【０００４】
ＬＴＥはダウンリンクでは直交周波数分割多重（ＯＦＤＭ）を使用し、アップリンクではシングルキャリアＯＦＤＭ（ＳＣ−ＯＦＤＭ）を使用する。したがって、基本的なＬＴＥダウンリンク物理リソースは図２に示されるような時間−周波数グリッドとして見ることができ、各リソースエレメントは、１つのＯＦＤＭシンボル間隔の間の１つのＯＦＤＭサブキャリアに対応する。
【０００５】
さらに、ＬＴＥにおけるリソース割当ては、典型的にはリソースブロック（ＲＢ）に関して記述され、ここで、ＲＢは時間領域において１スロット（０．５ｍｓ）に対応し、周波数領域において１２個の連続するサブキャリアに対応する。ＲＢは、システム帯域幅の一端から０で始まる周波数領域において番号付けされる。
【０００６】
同様に、ＬＴＥのアップリンクリソースグリッドは図３に示され、ここで、
0006934953.tif 000002
はアップリンクのシステム帯域幅に含まれるＲＢの数であり、
0006934953.tif 000003
は各ＲＢにおけるサブキャリアの数であり、典型的には
0006934953.tif 000004
＝１２であり、
0006934953.tif 000005
は各スロットにおけるＳＣ−ＯＦＤＭシンボルの数である。通常のサイクリックプレフィックス（ＣＰ）に対して
0006934953.tif 000006
＝７であり、拡張ＣＰに対して
0006934953.tif 000007
＝６である。サブキャリアとＳＣ−ＯＦＤＭシンボルとはアップリンクリソースエレメント（ＲＥ）を形成する。
【０００７】
ｅＮＢからＵＥへのダウンリンクデータ伝送は動的にスケジューリングされる、すなわち、各サブフレームにおいて、基地局は、現在のダウンリンクサブフレームまたは現在の特別なサブフレームのダウンリンクパート（ＤｗＰＴＳ）において、どの端末へデータが送信され、どのＲＢ上でデータが送信されるかについての制御情報を送信する。この制御シグナリングは、典型的には各サブフレーム内の最初の１、２、３、または４つのＯＦＤＭシンボルで送信される。制御として３つのＯＦＤＭシンボルを有するダウンリンクサブフレームが図４に示されている。
【０００８】
ダウンリンクと同様に、ＵＥからｅＮＢへのアップリンク送信も、ダウンリンク制御チャネルを介して動的にスケジューリングされる。ＵＥはサブフレームｎにおいてアップリンク許可を受信すると、サブフレームｎ＋ｋにおいてアップリンクでデータを送信し、ここで、周波数分割二重（ＦＤＤ）システムについてはｋ＝４であり、時分割二重（ＴＤＤ）システムについてはｋが変化する。
【０００９】
ＬＴＥでは、いくつかの物理チャネルおよび信号が制御情報およびデータペイロードの送信のためにサポートされる。ＬＴＥでサポートされるダウンリンク物理チャネルおよび信号のいくつかは、以下の通りである。
・物理ダウンリンク共有チャネル（ＰＤＳＣＨ）  
・物理ダウンリンク制御チャネル（ＰＤＣＣＨ）  
・拡張ＰＤＣＣＨ（ｅＰＤＣＣＨ）
・参照信号：
−セル固有参照信号（ＣＲＳ）
−ＰＤＳＣＨのための復調参照信号（ＤＭＲＳ）  
−チャネル状態情報参照信号（ＣＳＩ−ＲＳ）  
【００１０】
ＰＤＳＣＨは主にダウンリンクでユーザトラフィックデータや上位レイヤのメッセージを搬送するために使用され、図４に示すように制御領域外のダウンリンクサブフレームで送信される。ＰＤＣＣＨとｅＰＤＣＣＨは共に、物理ＲＢ（ＰＲＢ）割当て、変調符号化方式（ＭＣＳ）、送信器で使用されるプリコーダなどのようなダウンリンク制御情報（ＤＣＩ）を搬送するために使用される。
【００１１】
既存の物理層ダウンリンク制御チャネル、ＰＤＣＣＨおよびｅＰＤＣＣＨは、１ｍｓサブフレームごとに１回送信される。さらに、ＰＤＣＣＨはキャリア帯域幅全体にわたって分散されるが、サブフレーム内の最初の１〜４個のシンボルにわたってＰＤＳＣＨと時間多重化される。ｅＰＤＣＣＨは１ｍｓサブフレーム全体にわたって分散されるが、ＰＤＳＣＨと周波数多重化され、局所および分散送信のためにそれぞれ１つ以上のＰＲＢペア上に多重化される。ＰＤＣＣＨは、すべてのＵＥが共通セル固有の制御情報を検出する必要がある共通探索空間を有する。ＵＥがｅＰＤＣＣＨのために構成されているか否かに応じて、ＵＥは、それぞれｅＰＤＣＣＨまたはＰＤＣＣＨのＵＥ探索空間からＵＥ固有の制御情報を探索する。
【００１２】
ＰＤＣＣＨ領域のサイズは、サブフレームベースで動的に変化することができることにも留意されたい。ＰＤＣＣＨ領域のサイズは、１ｍｓサブフレームの始まりに物理制御フォーマット・インジケータ・チャネル（ＰＣＦＩＣＨ）上でシグナリングされることを想起されたい。ｅＰＤＣＣＨの周波数領域の割当ては、上位レイヤのシグナリングによって準静的に設定される。
【００１３】
ＬＴＥでサポートされるアップリンク物理チャネルおよび信号のいくつかは、以下の通りである。
・物理アップリンク共有チャネル（ＰＵＳＣＨ）
・物理アップリンク制御チャネル（ＰＵＣＣＨ）
・ＰＵＳＣＨのためのＤＭＲＳ
・ＰＵＣＣＨのためのＤＭＲＳ
【００１４】
ＰＵＳＣＨは、ＵＥからｅＮＢへアップリンクデータおよび／またはアップリンク制御情報を搬送するために使用される。ＰＵＣＣＨは、ＵＥからｅＮＢへアップリンク制御情報を搬送するために使用される。
【００１５】
２．  １ｍｓ  のＴＴＩスケジューリングのためのＤＣＩフォーマット
現在の制御チャネルは、ＤＣＩと呼ばれる制御情報を搬送する。例えば、設定された伝送モードに応じて異なるオプションを有するいくつかのＤＣＩフォーマットがある。ＤＣＩフォーマットはセル無線ネットワーク一時識別子（Ｃ−ＲＮＴＩ）のようなＵＥ識別子によってスクランブルされた巡回冗長検査（ＣＲＣ）を有し、ＣＲＣがデスクランブル後に一致する場合、所定のＤＣＩフォーマットを伴うＰＤＣＣＨが検出される。システム情報の伝送に使用されるシステム情報無線ネットワーク一時識別子（ＳＩ−ＲＮＴＩ）のような、複数の端末によって共有される識別子もある。
【００１６】
ａ．  ダウンリンクのスケジューリング割当てのためのＤＣＩフォーマット  
現在、いくつかの異なるＤＣＩフォーマットがあり、フォーマット１、１Ａ、１Ｂ、１Ｃ、１Ｄ、２、２Ａ、２Ｂ、２Ｃ、および２Ｄを含むダウンリンクリソース割当てについては、３ＧＰＰ  Ｔｅｃｈｎｉｃａｌ  Ｓｐｅｃｉｆｉｃａｔｉｏｎ（ＴＳ）３６．２１２を参照されたい。
・フォーマット１：単一コードワード伝送  
−リソース割当タイプ（タイプ０またはタイプ１）を指し示す１ビット  
−リソース割当て（タイプ０またはタイプ１）のための
0006934953.tif 000008
ビット  
−ハイブリッド自動再送要求（ＨＡＲＱ）プロセス番号のための３ビット（ＴＤＤは４ビット）  
−新規データインジケータ（ＮＤＩ）および冗長化バージョン（ＲＶ）のための３ビット  
−ＭＣＳのための５ビット  
・フォーマット１Ａ、１Ｂ、１Ｄ  
−リソース割当て（タイプ２）のための
0006934953.tif 000009
ビット  
−ＨＡＲＱ  プロセス番号のための３ビット（ＴＤＤ  は４ビット）
−ＮＤＩおよびＲＶのための３ビット
−ＭＣＳのための５ビット
・フォーマット２、２Ａ、２Ｂ、２Ｃ、２Ｄ：２つのコードワード伝送
−リソース割当て（タイプ０またはタイプ１）のための
0006934953.tif 000010
ビット  
−ＨＡＲＱ  プロセス番号のための３ビット（ＴＤＤは４ビット）
−ＮＤＩおよびＲＶのための２×３ビット
−ＭＣＳのための２×５ビット
ここで、Ｐはシステム帯域幅に依存するＲＢグループサイズであり、
0006934953.tif 000011
はダウンリンクのＲＢ数である。
【００１７】
このため、ダウンスケジューリング割当てのためのＤＣＩには、周波数領域におけるダウンリンクのデータリソース割当て（リソース割当て）の情報、ＭＣＳ、ＨＡＲＱプロセス情報が含まれる。キャリアアグリゲーションの場合、ＰＤＳＣＨがどのキャリア上で送信されるかに関する情報も同様に含まれ得る。
【００１８】
ｂ．  アップリンクのスケジューリング許可のためのＤＣＩフォーマット  
アップリンク許可のためのＤＣＩフォーマットには、ＤＣＩフォーマット０とＤＣＩフォーマット４の２つの主要なファミリーがある。後者は、アップリンクの空間多重化をサポートするためにリリース１０に追加される。様々な目的、例えば、非ライセンススペクトルにおけるスケジューリングのために、ＤＣＩフォーマット０およびＤＣＩフォーマット４の両方に対して、いくつかのＤＣＩフォーマットの変形が存在する。
【００１９】
一般に、アップリンクスケジューリング許可のＤＣＩは以下を含む。
・リソース割当て情報  
−キャリアインジケータ  
−リソース割当てタイプ  
−ＲＢ割当て
・ＲＳおよびデータに関する情報  
−ＭＣＳ  
−ＮＤＩ  
−アップリンクＤＭＲＳのサイクリックシフト  
−プリコーディング情報  
−送信出力制御  
・その他の情報  
−サウンディング参照信号（ＳＲＳ）要求  
−チャネル状態情報（ＣＳＩ）要求  
−アップリンクインデックス（ＴＤＤ用）
−ＤＣＩフォーマット０／１Ａのインジケーション（ＤＣＩフォーマット０および１Ａのみ）
−パディング
−端末の無線ネットワーク一時識別子（ＲＮＴＩ）でスクランブルされたＣＲＣ
【００２０】
３．  ショートＴＴＩ（ｓＴＴＩ）による遅延の削減  
パケットデータ遅延は、ベンダ、オペレータ、およびエンドユーザ（速度テスト・アプリケーションを介して）が定期的に測定するパフォーマンスメトリックの１つである。遅延測定は無線アクセスネットワークのシステムの寿命のすべてのフェーズにおいて、新しいソフトウェアのリリースまたはシステムコンポーネントの検証の際、システムを配備する際、およびシステムが商業的に動作している際に行われる。
【００２１】
以前の世代の３ＧＰＰ無線アクセス技術（ＲＡＴ）よりも短い遅延は、ＬＴＥの設計を導いた１つの性能メトリックであった。エンドユーザはまた、現在、ＬＴＥを、以前の世代の移動無線技術よりも、インターネットへのより速いアクセスと、より短いデータ遅延とを提供するシステムであると認識している。
【００２２】
パケットデータ遅延は、知覚されるシステム応答性のためだけに重要なのではなく、システムのスループットに間接的に影響を及ぼすパラメータでもある。ハイパーテキスト転送プロトコル（ＨＴＴＰ）／伝送制御プロトコル（ＴＣＰ）は、今日、インターネット上で使用されている支配的なアプリケーションおよびトランスポート層のプロトコルスイートである。ＨＴＴＰアーカイブ（ｈｔｔｐ：／／ｈｔｔｐａｒｃｈｉｖｅ．ｏｒｇ／ｔｒｅｎｄｓ．ｐｈｐ）によれば、インターネット上のＨＴＴＰベースのトランザクションの典型的な大きさは、数十キロバイトから１メガバイトまでである。このサイズ範囲では、ＴＣＰスロースタート期間がパケットストリームの全トランスポート期間の大部分である。ＴＣＰスロースタートの間、性能は制限された遅延である。したがって、このタイプのＴＣＰベースのデータ・トランザクションの平均スループットを改善するために、改善された遅延をかなり容易に示すことができる。
【００２３】
遅延の削減は、無線リソース効率にプラスの影響を及ぼす可能性がある。より低いパケットデータ遅延は所定の遅延境界内で可能な送信の数を増加させることができ、したがって、より高いブロック誤り率（ＢＬＥＲ）目標が、システムの容量を潜在的に改善する無線リソースを解放するデータ送信のために使用されることができる。
【００２４】
遅延を短縮する１つのアプローチは、ＴＴＩの長さをアドレス指定することによって、データおよび制御シグナリングのトランスポート時間を短縮することである。ＴＴＩの長さを短縮し、帯域幅を維持することによって、ＴＴＩ内で処理すべきデータが少なくなるため、送信ノードおよび受信ノードにおける処理時間も短縮されることが予想される。ＬＴＥリリース８では、ＴＴＩが長さ１ｍｓの１つのサブフレームに対応する。１つのそのような１ｍｓのＴＴＩは通常のＣＰの場合には１４個のＯＦＤＭまたは単一キャリア周波数分割多元接続（ＳＣ−ＦＤＭＡ）シンボルを使用し、拡張ＣＰの場合には１２個のＯＦＤＭまたはＳＣ−ＦＤＭＡシンボルを使用することによって構築される。ＬＴＥ  Ｒｅｌｅａｓｅ  １４では、スロットまたは少数のシンボルなど、より短いＴＴＩを用いた送信を指定することを目的として、レイテンシ低減に関する研究項目が行われている［３ＧＰＰ  ＴＲ  ３６．８８１］。ｓＴＴＩを指定することを目的としたワークアイテムは、２０１６年８月に開始された［３ＧＰＰ  ＲＰ−１６２０１４］。
【００２５】
ａ．  より短いＴＴＩのための短縮された処理時間  
ＬＴＥでは、ダウンリンクＨＡＲＱフィードバックタイミングおよびアップリンクデータ遅延に対するアップリンク許可のために、最小限必要な処理時間が指定され、適用される。後者は、アップリンクスケジューリングタイミングとも呼ばれる。ｓＴＴＩの場合、最小処理時間は短縮される。２つのＯＦＤＭシンボル（２ｏｓ）のＴＴＩの場合、必要とされる最小の処理タイミングは、ｋ−１  ｓＴＴＩであり得、ｎ＋ｋのタイミングをもたらす。一例は、ｋ  ＝  ６のｓＴＴＩである。これは、ダウンリンクｓＴＴＩ  ｎで受信されたダウンリンクｓＴＴＩに対するダウンリンク割当てを受信する端末は、アップリンクｓＴＴＩ  ｎ＋ｋでダウンリンクＨＡＲＱフィードバックを送信することが期待されることを意味する。アップリンクスケジューリングタイミングについても同様である。ダウンリンクｓＴＴＩ  ｎにおいてアップリンクｓＴＴＩに対するアップリンク許可を受信するＵＥは、アップリンクｓＴＴＩ  ｎ＋ｋにおいてアップリンクデータを送信することが期待される。
【００２６】
ＴＤＤではｓＴＴＩ  ｎ＋ｋが有効なアップリンクｓＴＴＩでなくてもよく、その場合、タイミングのための特別な規則を定義することができるが、最小の処理タイミングはｎ＋ｋよりも早くすることができない。同様に、異なるダウンリンクおよびアップリンクＴＴＩ長（例えば、ダウンリンクにおける２ｏｓ  ＴＴＩおよびアップリンクにおけるスロットＴＴＩ）の場合、タイミングｎ＋ｋは、アップリンクにおける有効なｓＴＴＩに必ずしも対応しなくてもよく、この場合、ＨＡＲＱフィードバックまたはアップリンクデータがｎ＋ｋの後の最も早いアップリンクｓＴＴＩにおいて送信されるべきであるなど、特別な規則を定義することができる。
【００２７】
ｂ．  サブフレーム内のｓＴＴＩ設定  
ｓＴＴＩは任意の持続時間を有するように決定されることができ、１ｍｓサブフレーム内のいくつかのＯＦＤＭまたはＳＣ−ＦＤＭＡシンボル上のリソースを備えることができる。図５に示す一例として、アップリンクｓＴＴＩの持続時間は０．５ｍｓであり、すなわち、通常のＣＰの場合、７つのＳＣ−ＦＤＭＡシンボルである。図６に示される別の例として、サブフレーム内のアップリンクｓＴＴＩの持続時間は、２または３シンボルである。ここで、図中の「Ｒ」はＤＭＲＳシンボルを示し、「Ｓ」はＳＲＳシンボルを示す。
【００２８】
アップリンクのｓＴＴＩ伝送の場合、より短いＴＴＩ長は、チャネル推定のために各ｓＴＴＩ内でＤＭＲＳを送信するための少なくとも１つのＳＣ−ＦＤＭＡシンボルを仮定すると、より大きなＤＭＲＳオーバーヘッドにつながる。非常に短いＴＴＩ長、例えば、２シンボルのｓＴＴＩの場合、ＤＭＲＳオーバーヘッドは５０％であり得、スループットおよびスペクトル効率の観点から、著しい性能損失につながる。ＬＴＥでは、ＤＭＲＳオーバーヘッドを低減するために、異なるＤＭＲＳ設計オプションが考慮されてきた：
・ＤＭＲＳ多重化：異なるＵＥが連続するｓＴＴＩにおいてスケジューリングされる場合、複数のＵＥはＤＭＲＳシーケンスを送信するために同じＳＣ−ＦＭＤＡシンボルを共有するが、データのために別個のＳＣ−ＦＭＤＡシンボルを有する。
・ＤＭＲＳ共有：同じＵＥが連続するｓＴＴＩ上でスケジューリングされるとき、ＤＭＲＳは、各ｓＴＴＩにおいて送信されない。代わりに、第１のｓＴＴＩで送信されるＤＭＲＳはチャネル推定のために、以下のスケジューリングされたｓＴＴＩによって共有される。
【００２９】
図７および図８に示す例示的な機構は、ＤＭＲＳ共有およびＤＭＲＳ多重化の両方に機能する。ＤＭＲＳ多重化について、ｓＴＴＩ  ０においてスケジューリングされたＵＥ  １と、ｓＴＴＩ  １においてスケジューリングされたＵＥ  ２との例を考える。図７では、ＵＥ  １がＳＣ−ＦＤＭＡシンボル０および１でデータを送信し、シンボル２でＤＭＲＳを送信する。  ＵＥ  ２は同じシンボルでＤＭＲＳを送信し、シンボル３および４でデータを送信する。図８に示される機構が使用される場合、ＵＥ  １はシンボル０でＤＭＲＳを送信し、シンボル１および２でデータを送信する。  ＵＥ  ２はシンボル０でＤＭＲＳを送信し、シンボル１および２でサイレントであり、シンボル３および４でデータを送信する。
【００３０】
ＤＭＲＳ共有の場合、ＵＥ  １は、ｓＴＴＩ  ０およびｓＴＴＩ  １の両方においてスケジューリングされる。図７において、ＵＥ  １はシンボル０、１、３、および４でデータを送信し、シンボル２でＤＭＲＳを送信する。図８において、ＵＥ  １はシンボル１、２、３、および４でデータを送信し、シンボル０でＤＭＲＳを送信する。
【００３１】
図９は、サブフレーム内の２または３シンボルのダウンリンクｓＴＴＩ設定の例を示す。ダウンリンク伝送は、ＣＲＳベースまたはＤＭＲＳベースとすることができる。ＤＭＲＳベースの送信の場合、ＤＭＲＳ共有オプションはアップリンクについて説明したように、ＤＭＲＳオーバーヘッドを低減するためにダウンリンクｓＴＴＩ伝送のために使用することもできる。
【００３２】
本開示全体を通して、それぞれｓＴＴＩを有するダウンリンクおよびアップリンク物理共有チャネルを示すために、ショートＰＤＳＣＨ（ｓＰＤＳＣＨ）およびショートＰＵＳＣＨ（ｓＰＵＳＣＨ）が使用される。同様に、ショートＰＤＣＣＨ（ｓＰＤＣＣＨ）は、ｓＴＴＩを有するダウンリンク物理制御チャネルを示すために使用される。
【００３３】
ｃ．  ダウンリンクおよびアップリンクのｓＴＴＩスケジューリング  
アップリンクまたはダウンリンクｓＴＴＩ伝送をスケジューリングするために、ｅＮＢは、各ダウンリンクｓＴＴＩにおいて、ショートＤＣＩ（ｓＤＣＩ）と呼ばれる新しいＤＣＩフォーマットを使用することによって、対応する制御情報を送信することが可能である。このｓＤＣＩを搬送する制御チャネルは、ＰＤＣＣＨまたはｓＰＤＣＣＨのいずれかとすることができる。
【発明の概要】
【００３４】
複数のショート伝送時間間隔（ｓＴＴＩ）の伝送をスケジューリングするためのシステムおよび方法が、本明細書で説明される。いくつかの実施形態において、複数のｓＴＴＩ伝送をスケジューリングするための無線通信ネットワークのネットワークノードの動作方法は、２つ以上のｓＴＴＩ伝送のために無線装置に制御情報メッセージを送信することを含み、制御情報メッセージは、２つ以上のスケジューリングされたｓＴＴＩ伝送のための２つ以上のスケジューリングされたｓＴＴＩをそれぞれ示すスケジューリング情報、および／または２つ以上のスケジューリングされたｓＴＴＩ伝送のための２つ以上のスケジューリングされたｓＴＴＩのためのタイミングのインジケーション、および／または２つ以上のスケジューリングされたｓＴＴＩ伝送のための２つ以上のスケジューリングされたｓＴＴＩのためのＤＭＲＳ設定のインジケーションを含む。マルチｓＴＴＩスケジューリングを使用することによって、制御シグナリングのオーバーヘッドが低減される。
【００３５】
いくつかの実施形態では、２つ以上のｓＴＴＩ伝送は２つ以上のアップリンクｓＴＴＩ伝送を含む。いくつかの他の実施形態では、２つ以上のｓＴＴＩ伝送が２つ以上のダウンリンクｓＴＴＩ伝送を含む。
【００３６】
いくつかの実施形態では、２つ以上のスケジューリングされたｓＴＴＩが時間領域において連続している。
【００３７】
いくつかの実施形態では、制御情報メッセージが物理ダウンリンク制御チャネル上で送信される。いくつかの他の実施形態では、制御情報メッセージがｓＴＴＩ伝送をスケジューリングするために使用されるショート物理ダウンリンク制御チャネル上で送信される。いくつかの他の実施形態では、制御情報メッセージがアップリンクｓＴＴＩ伝送およびダウンリンクｓＴＴＩ伝送の両方をスケジューリングするために使用される物理ダウンリンク制御チャネルまたはショート物理ダウンリンク制御チャネルのいずれかで送信され得る。いくつかの実施形態では、レガシー制御領域を除いて、各ダウンリンクｓＴＴＩにおいてショート物理ダウンリンク制御チャネルを送信することができる。
【００３８】
いくつかの実施形態では、制御情報メッセージは、スケジューリングされたｓＴＴＩの数を示すビットフィールドを含む。いくつかの実施形態では、２つ以上のスケジューリングされたｓＴＴＩは、固定スケジューリングタイミングと、スケジューリングされたｓＴＴＩの数を示す制御情報メッセージのビットフィールドとによって判定される。いくつかの実施形態では、２つ以上のｓＴＴＩ伝送の複数の可能な組み合わせがあらかじめ定義され、制御情報メッセージに含まれるビットフィールドは制御メッセージを含むダウンリンクｓＴＴＩのインデックスとともに、２つ以上のｓＴＴＩ伝送の複数の可能な組み合わせのうちの１つを、ｓＴＴＩ伝送のためのｓＴＴＩの選択された組み合わせとして明示的に示す。さらに、いくつかの実施形態では、制御情報メッセージがショート物理ダウンリンク制御チャネルに含まれる。いくつかの他の実施形態では２つ以上のｓＴＴＩ伝送の複数の可能な組合せがあらかじめ定義され、制御情報メッセージに含まれるビットフィールドは２つ以上のｓＴＴＩ伝送の複数の可能な組合せのうちの１つを、ｓＴＴＩ伝送のためのｓＴＴＩの選択された組合せとして明示的に示す。さらに、いくつかの実施形態では、制御情報メッセージは、複数のｓＴＴＩを含むＴＴＩのための物理ダウンリンク制御チャネルに含まれる。
【００３９】
いくつかの実施形態では、２つ以上のｓＴＴＩ伝送の複数の可能な組み合わせのそれぞれについてのＤＭＲＳ設定があらかじめ設定される。いくつかの他の実施形態では、制御情報は２つ以上のスケジューリングされたｓＴＴＩ伝送のためのＤＭＲＳ設定を示す第２のビットフィールドを含む。いくつかの他の実施形態では、制御情報は、スケジューリングされたｓＴＴＩの数とともに、２つ以上のスケジューリングされたｓＴＴＩ伝送のためのＤＭＲＳ設定を示す第２のビットフィールドを含む。いくつかの実施形態では、ＤＲＭＳ設定は、２つ以上のスケジューリングされたｓＴＴＩのためのいくつかのＤＭＲＳシンボルおよび／またはＤＭＲＳシンボル位置を含む。
【００４０】
いくつかの実施形態では、制御情報メッセージは、スケジューリングされたｓＴＴＩの数を示す第１のビットフィールドと、２つ以上のｓＴＴＩのうちの少なくとも第１のスケジューリングされたｓＴＴＩのタイミングを指し示す第２のビットフィールドとを含み、２つ以上のスケジューリングされたｓＴＴＩは、スケジューリングされたｓＴＴＩの数を指し示す制御情報メッセージの第１のビットフィールドと、少なくとも第１のスケジューリングされたｓＴＴＩのタイミングを示す制御情報メッセージの第２のビットフィールドとによって判定される。
【００４１】
いくつかの実施形態では、スケジューリング情報は、１つ以上のスロット内のすべてのｓＴＴＩを２つ以上のスケジューリングされたｓＴＴＩとしてスケジューリングするスロットベースのマルチｓＴＴＩスケジューリング情報である。いくつかの実施形態では、制御情報メッセージの送信はＰＤＣＣＨに限定される。いくつかの実施形態では、制御情報メッセージの送信は、サブフレームの第２のスロットにおけるＰＤＣＣＨおよび第１のｓＴＴＩに限定される。
【００４２】
いくつかの実施形態では、いくつかのＤＭＲＳシンボルおよびＤＭＲＳシンボル位置の両方を含むＤＭＲＳ設定は、２つ以上のスケジューリングされたｓＴＴＩの複数の可能な組合せのそれぞれについて、事前設定またはシグナリングによって設定される。
【００４３】
いくつかの実施形態では、いくつかのＤＭＲＳシンボルおよびＤＭＲＳシンボル位置の両方を含む、スケジューリングされたｓＴＴＩのためのＤＭＲＳ設定は、制御情報メッセージの別個のビットフィールドによって判定される。
【００４４】
ネットワークノードの実施形態も開示される。いくつかの実施形態では、複数のｓＴＴＩ伝送をスケジューリングするための無線通信ネットワークのためのネットワークノードが本明細書で説明されるネットワークノードの動作方法の実施形態のうちのいずれか１つの方法を実行するように適合される。
【００４５】
いくつかの実施形態では、複数のｓＴＴＩ伝送をスケジューリングするための無線通信ネットワークのためのネットワークノードは、少なくとも１つのプロセッサと、少なくとも１つのプロセッサによって実行可能な命令を記憶するメモリとを備え、それによって、ネットワークノードは本明細書で説明されるネットワークノードの動作方法の実施形態のうちのいずれか１つの方法を実行するように動作可能である。
【００４６】
無線装置の動作方法の実施形態も開示される。いくつかの実施形態では、無線通信ネットワークにおける無線装置の動作方法は、ネットワークノードから、２つ以上のｓＴＴＩ伝送のための制御情報メッセージを受信することを含み、制御情報メッセージは２つ以上のスケジューリングされたｓＴＴＩ伝送のための２つ以上のスケジューリングされたｓＴＴＩをそれぞれ示すスケジューリング情報、および／または２つ以上のスケジューリングされたｓＴＴＩ伝送のための２つ以上のスケジューリングされたｓＴＴＩのためのタイミングのインジケーション、および／または２つ以上のスケジューリングされたｓＴＴＩ伝送のための２つ以上のスケジューリングされたｓＴＴＩのためのＤＭＲＳ設定のインジケーションを含む。この方法は、制御情報メッセージに従って２つ以上のｓＴＴＩ伝送を送信および／または受信することをさらに含む。
【００４７】
いくつかの実施形態では、制御情報メッセージは、スケジューリングされたｓＴＴＩの数を示すビットフィールドを含む。さらに、いくつかの実施形態では、２つ以上のスケジューリングされたｓＴＴＩは、固定スケジューリングタイミングと、スケジューリングされたｓＴＴＩの数を示す制御情報メッセージのビットフィールドとによって判定される。いくつかの実施形態では、２つ以上のｓＴＴＩ伝送の複数の可能な組み合わせが事前定義され、制御情報メッセージに含まれるビットフィールドは、制御メッセージを含むダウンリンクｓＴＴＩのインデックスとともに、２つ以上のｓＴＴＩ伝送の複数の可能な組み合わせのうちの１つを、ｓＴＴＩ伝送のためのｓＴＴＩの選択された組み合わせとして明示的に指し示す。さらに、いくつかの実施形態では、制御情報メッセージは、ショート物理ダウンリンク制御チャネルに含まれる。いくつかの他の実施形態では、２つ以上のｓＴＴＩ伝送の複数の可能な組合せが事前定義され、制御情報メッセージに含まれるビットフィールドは、２つ以上のｓＴＴＩ伝送の複数の可能な組合せのうちの１つを、ｓＴＴＩ伝送のためのｓＴＴＩの選択された組合せとして明示的に指し示す。さらに、いくつかの実施形態では、制御情報メッセージは、複数のｓＴＴＩを含むＴＴＩのための物理ダウンリンク制御チャネルに含まれる。
【００４８】
いくつかの実施形態では、２つ以上のｓＴＴＩ伝送の複数の可能な組み合わせのそれぞれについてのＤＭＲＳ設定が事前設定される。いくつかの他の実施形態では、制御情報は、２つ以上のスケジューリングされたｓＴＴＩ伝送のためのＤＭＲＳ設定を示す第２のビットフィールドを含む。いくつかの他の実施形態では、制御情報は、スケジューリングされたｓＴＴＩの数とともに、２つ以上のスケジューリングされたｓＴＴＩ伝送のためのＤＭＲＳ設定を示す第２のビットフィールドを含む。いくつかの実施形態では、ＤＲＭＳ設定は、２つ以上のスケジューリングされたｓＴＴＩのためのいくつかのＤＭＲＳシンボルおよび／またはＤＭＲＳシンボル位置を含む。
【００４９】
いくつかの実施形態では、制御情報メッセージはスケジューリングされたｓＴＴＩの数を示す第１のビットフィールドと、２つ以上のｓＴＴＩのうちの少なくとも第１のスケジューリングされたｓＴＴＩのタイミングを示す第２のビットフィールドとを含み、２つ以上のスケジューリングされたｓＴＴＩはスケジューリングされたｓＴＴＩの数を示す制御情報メッセージの第１のビットフィールドと、少なくとも第１のスケジューリングされたｓＴＴＩのタイミングを示す制御情報メッセージの第２のビットフィールドとによって判定される。
【００５０】
いくつかの実施形態では、スケジューリング情報は、１つ以上のスロット内のすべてのｓＴＴＩを２つ以上のスケジューリングされたｓＴＴＩとしてスケジューリングするスロットベースのマルチｓＴＴＩスケジューリング情報である。
【００５１】
いくつかの実施形態では、制御情報メッセージの送信は、ＰＤＣＣＨに限定される。いくつかの他の実施形態では、制御情報メッセージの送信がサブフレームの第２のスロットにおけるＰＤＣＣＨおよび第１のｓＴＴＩに限定される。
【００５２】
いくつかの実施形態では、いくつかのＤＭＲＳシンボルおよびＤＭＲＳシンボル位置の両方を含むＤＭＲＳ設定は、２つ以上のスケジューリングされたｓＴＴＩの複数の可能な組合せのそれぞれについて、事前設定またはシグナリングによって設定される。
【００５３】
いくつかの実施形態では、いくつかのＤＭＲＳシンボルおよびＤＭＲＳシンボル位置の両方を含む、スケジューリングされたｓＴＴＩのためのＤＭＲＳ設定は、制御情報メッセージの別個のビットフィールドによって判定される。
【００５４】
無線装置の実施形態も開示される。いくつかの実施形態では、無線通信ネットワークのための無線装置は、本明細書で開示される無線装置の動作方法の実施形態のうちのいずれか１つに従って、無線装置の動作方法を実行するように適合される。
【００５５】
いくつかの実施形態では無線通信ネットワークのための無線装置は、少なくとも１つのトランシーバと、少なくとも１つのトランシーバに関連付けられた回路とを含み、回路は少なくとも１つのトランシーバを介してネットワークノードから、１つ以上のｓＴＴＩ伝送のための制御情報メッセージを受信するように動作可能であり、制御情報メッセージは、１つ以上のスケジューリングされたｓＴＴＩ伝送のための１つ以上のスケジューリングされたｓＴＴＩをそれぞれ示すスケジューリング情報と、１つ以上のスケジューリングされたｓＴＴＩ伝送のための１つ以上のスケジューリングされたｓＴＴＩのためのタイミングのインジケーションと、１つ以上のスケジューリングされたｓＴＴＩ伝送のための１つ以上のスケジューリングされたｓＴＴＩのためのＤＭＲＳ設定のインジケーションとの少なくともいずれかを含む。回路はさらに、少なくとも１つのトランシーバを介して、制御情報メッセージに従って１つ以上のｓＴＴＩ伝送を送信および／または受信するように動作可能である。
【図面の簡単な説明】
【００５６】
本明細書に組み込まれ、その一部を形成する添付の図面は本開示のいくつかの態様を示し、説明とともに本開示の原理を説明するのに役立つ。
【００５７】
【図１】ＬＴＥ時間領域構造を示す図。
【００５８】
【図２】ＬＴＥダウンリンク物理リソースを示す図。
【００５９】
【図３】ＬＴＥアップリンクリソースグリッドを示す図。
【００６０】
【図４】ＬＴＥダウンリンクサブフレームを示す図。
【００６１】
【図５】アップリンクサブフレームを有する７シンボルのｓＴＴＩ設定の例を示す図。
【００６２】
【図６】アップリンクサブフレームを有する２／３シンボルｓＴＴＩ設定の例を示す図。
【００６３】
【図７】ＤＭＲＳ多重化／共有を伴う２／３シンボルｓＴＴＩ設定の例を示す図。
【００６４】
【図８】ＤＭＲＳ多重化／共有を伴うアップリンクサブフレーム内の２／３シンボルｓＴＴＩ設定の例を示す図。
【００６５】
【図９】ダウンリンクサブフレーム内の２／３シンボルｓＴＴＩ設定の例を示す図。
【００６６】
【図１０】本開示の実施形態が実装され得る無線通信システムの一例を示す図。
【００６７】
【図１１】本開示のいくつかの実施形態による、無線アクセスノードおよび無線装置の動作を示す図。
【００６８】
【図１２】本開示のいくつかの実施形態による、アップリンクおよびダウンリンクの両方における２／３シンボルｓＴＴＩ設定のためのｎ＋６個のアップリンクスケジューリングタイミングの図であり、ｓＤＣＩは、各ダウンリンクｓＴＴＩにおいて送信されることができる。
【００６９】
【図１３】本開示のいくつかの実施形態による、スケジューリングされた複数のｓＴＴＩのＤＭＲＳ設定を示すために、ｓＤＣＩにおいて１ビットを使用する例を示す図。
【００７０】
【図１４】マルチｓＴＴＩスケジューリングのためのｓＤＣＩがＰＤＣＣＨからのみ送信され得るアップリンクおよびダウンリンクの両方における２／３シンボルｓＴＴＩ設定のためのｎ＋６個のアップリンクスケジューリングタイミングの例を示す図。
【００７１】
【図１５】アップリンクおよびダウンリンクの両方における２／３シンボルｓＴＴＩ設定のためのｎ＋４アップリンクスケジューリングタイミングの例を示す図。マルチｓＴＴＩ  ＤＣＩは本開示のいくつかの実施形態によれば、ＰＤＣＣＨからのみ送信されうる。
【００７２】
【図１６】無線装置の例示的な実施形態を示す図。
【図１７】無線装置の例示的な実施形態を示す図。
【００７３】
【図１８】ネットワークノード（たとえば、無線アクセスノード）の例示的な実施形態を示す図。
【図１９】ネットワークノード（たとえば、無線アクセスノード）の例示的な実施形態を示す図。
【図２０】ネットワークノード（たとえば、無線アクセスノード）の例示的な実施形態を示す図。
【発明を実施するための形態】
【００７４】
以下に記載される実施形態は、当業者が実施形態を実施し、実施形態を実施する最良の形態を示すことを可能にする情報を示す。添付の図面に照らして以下の説明を読むと、当業者は本開示の概念を理解し、本明細書で特に対処されないこれらの概念の適用を認識するであろう。これらの概念およびアプリケーションは、本開示の範囲内にあることを理解されたい。
【００７５】
無線ノード：本明細書で使用されるように、「無線ノード」は、無線アクセスノードまたは無線装置のいずれかである。
【００７６】
無線アクセスノード：本明細書で使用されるように、「無線アクセスノード」または「無線ネットワークノード」は、信号を無線で送信および／または受信するように動作するセルラ通信ネットワークの無線アクセスネットワーク内の任意のノードである。無線アクセスノードのいくつかの例は基地局（例えば、３ＧＰＰ第５世代（５Ｇ）ＮＲネットワークにおける新しい無線（ＮＲ）基地局（ｇＮＢ）、または３ＧＰＰ  ＬＴＥネットワークにおけるｅＮＢ）、高電力またはマクロ基地局、低電力基地局（例えば、マイクロ基地局、ピコ基地局、ホームｅＮＢなど）、およびリレーノードを含むが、これらに限定されない。
【００７７】
コアネットワークノード：本明細書で使用されるように、「コアネットワークノード」は、コアネットワーク内の任意のタイプのノードである。コアネットワークノードのいくつかの例は例えば、モビリティ管理エンティティ（ＭＭＥ）、パケットデータネットワークゲートウェイ（Ｐ−ＧＷ）、サービス能力露出機能（ＳＣＥＦ）などを含む。
【００７８】
無線装置：本明細書で使用される場合、「無線装置」は（１つ以上の）無線アクセスノードに信号を無線に送信および／または受信することによって、セルラ通信ネットワークにアクセスする（すなわち、セルラ通信ネットワークによってサービスされる）任意の種類の装置である。無線装置のいくつかの例は３ＧＰＰネットワーク内のＵＥおよびマシンタイプ通信（ＭＴＣ）装置を含むが、これらに限定されない。
【００７９】
ネットワークノード：本明細書で使用されるように、「ネットワークノード」は、無線アクセスネットワークの一部またはセルラ通信ネットワーク／システムのコアネットワークのいずれかである任意のノードである。
【００８０】
ショート伝送時間間隔（ｓＴＴＩ）：本明細書で使用されるように、「ｓＴＴＩ」は、公称伝送期間よりも短い伝送期間である。ＬＴＥでは、公称送信持続時間はサブフレームと呼ばれ、通常のサイクリックプレフィックスを有する１４個のＯＦＤＭ／ＳＣ−ＦＤＭＡシンボルから構成される。ＬＴＥでは、２または３つのＯＦＤＭシンボル長の伝送をサブスロット伝送と呼ぶこともでき、７  ＯＦＤＭシンボル長の伝送をスロット伝送と呼ぶこともできる。ＮＲでは、公称伝送持続時間はスロットと呼ばれ、通常のサイクリックプレフィックスを有する１４個のＯＦＤＭ／ＳＣ−ＦＤＭＡシンボルから構成される。ＮＲでは、１４個未満のＯＦＤＭシンボルの送信持続時間がＮＲではＰＤＳＣＨ／ＰＵＳＣＨタイプＢ（ミニスロット／非スロットベースの送信）と呼ばれることもある。
【００８１】
本明細書で与えられる説明は３ＧＰＰセルラ通信システムに焦点を当てており、したがって、３ＧＰＰ用語または３ＧＰＰ用語に類似する用語がしばしば使用されることに留意されたい。しかしながら、本明細書で開示される概念は、３ＧＰＰシステムに限定されない。
【００８２】
本明細書の説明では「セル」という用語を参照することができるが、特に５Ｇ  ＮＲ概念に関してはセルの代わりにビームを使用することができ、したがって、本明細書で説明する概念がセルおよびビームの両方に等しく適用可能であることに留意することが重要であることに留意されたい。
【００８３】
既存の技術を使用して、アップリンクまたはダウンリンクｓＴＴＩ伝送をスケジューリングするために、ｅＮＢは、各ダウンリンクｓＴＴＩにおいて、ショートＤＣＩ（ｓＤＣＩ）と呼ばれる新しいＤＣＩフォーマットを使用して、対応する制御情報を送信する。このｓＤＣＩを搬送する制御チャネルは、ＰＤＣＣＨまたはｓＰＤＣＣＨのいずれかとすることができる。しかしながら、すべての単一のｓＴＴＩにおいてｓＤＣＩを送信することは、特に２／３シンボルｓＴＴＩに対して、高い制御オーバーヘッドを表す。これは、ｓＤＣＩ送信のために利用されるＲＥによって、データ送信のために使用される利用可能なＲＥの個数が減少することを意味する。このオーバーヘッドは、ＵＥが同様のチャネル条件の下で１ｍｓサブフレーム内の連続するｓＴＴＩにおいてスケジューリングされるとき、不必要であると見なされ得る。
【００８４】
ＤＭＲＳ共有のために、ＵＥは、複数の連続するｓＴＴＩを用いてスケジューリングされ、ＤＭＲＳはオーバーヘッドを低減するために、第１のｓＴＴＩにおいてのみ送信される。ｓＤＣＩが単一のｓＴＴＩ伝送のみをスケジューリングすることを意図される場合、これらの連続するｓＴＴＩをスケジューリングするために、複数のスケジューリング割当て／許可が送信されるべきである。これは、制御シグナリングオーバーヘッドを増加させる。
【００８５】
さらに、これは、ＤＭＲＳ共有のための信頼性の問題を引き起こす可能性がある。例えば、ＵＥが第１のアップリンク許可を失い、したがって、ＵＥがＤＭＲＳを送信しないアップリンクＤＭＲＳ共有の場合を考える。その後、ｅＮＢはチャネル情報の欠如のために、次のｓＴＴＩ伝送を復号することができない。
【００８６】
本明細書では、アップリンクｓＴＴＩ伝送およびダウンリンクｓＴＴＩ伝送の両方のためのマルチｓＴＴＩスケジューリングのための異なるシグナリングの方法が開示される。本開示の実施形態はＤＭＲＳ共有に基づくＤＭＲＳオーバーヘッドと、ｓＤＣＩ伝送からの制御シグナリングオーバーヘッドとの両方を低減するために、ダウンリンク伝送およびアップリンク伝送の両方のための複数のｓＴＴＩ伝送（ダウンリンクのためのＣＲＳベース、およびアップリンクとダウンリンクとのためのＤＭＲＳベース）のスケジューリングをサポートする。さらに、本開示の実施形態は、ダウンリンクおよびアップリンクのための単一のｓＴＴＩ伝送の場合と同じ信頼性をＤＭＲＳ共有のために提供する。
【００８７】
図１０は本開示の実施形態が実施され得る無線通信ネットワーク１０（例えば、ＬＴＥ（例えば、ＬＴＥ  Ａｄｖａｎｃｅｄ（ＬＴＥ−Ａ）、ＬＴＥ−Ｐｒｏ、またはＬＴＥの拡張バージョン）または５Ｇ  ＮＲネットワーク）の一例を示す。図示されるように、複数の無線装置１２（例えばＵＥ）は無線アクセスノード１４（例えば、５Ｇ  ＮＲ基地局であるｅＮＢまたはｇＮＢ）に信号を無線で送信し、無線アクセスノード１４から信号を受信し、各無線アクセスノード１４は、１つ以上のセル１６にサービスを提供する。無線アクセスノード１４はコアネットワーク１８に接続されている。
【００８８】
図１１は、本開示のいくつかの実施形態による無線アクセスノード１４および無線装置１２の動作を示す。一般に、このプロセスはアップリンクおよび／またはダウンリンクにおける複数のｓＴＴＩ伝送のスケジューリングを提供するために、無線アクセスノード１４（またはより一般的にはネットワークノード）によって実行される。図示のように、無線アクセスノード１４は、制御情報メッセージを無線装置１２に送信する（ステップ１００）。制御情報メッセージは、アップリンク伝送またはダウンリンク伝送とすることができる１つ以上のスケジューリングされたｓＴＴＩ伝送のためのものである。制御情報メッセージは、スケジューリングされたｓＴＴＩ伝送（複数可）のためのｓＴＴＩ（複数可）を示すスケジューリング情報、および／またはスケジューリングされたｓＴＴＩ伝送（複数可）のためのタイミングのインジケーション、および／またはスケジューリングされたｓＴＴＩ伝送（複数可）のためのＤＭＲＳ設定のインジケーションを含む。さらに、以下で説明するように、いくつかの実施形態では、制御情報メッセージが例えば、時間領域における２つ以上の連続するｓＴＴＩにおいて、２つ以上のスケジューリングされたｓＴＴＩ伝送のためのものである。
【００８９】
いくつかの実施形態では制御情報メッセージがスケジューリングされたｓＴＴＩ伝送のためのｓＴＴＩを示すスケジューリング情報を含み、スケジューリング情報はアップリンクのスケジューリング情報および／またはダウンリンクのスケジューリング情報である。言い換えれば、スケジューリングされたｓＴＴＩ伝送は、アップリンク伝送またはダウンリンク伝送である。いくつかの実施形態では制御情報が２つ以上のｓＴＴＩ伝送のための２つ以上のｓＴＴＩをそれぞれ示すスケジューリング情報を含み、２つ以上のｓＴＴＩは時間領域において連続している。
【００９０】
いくつかの実施形態では制御情報メッセージはｓＤＣＩと呼ばれ、ｓＤＣＩはＰＤＣＣＨおよびｓＰＤＣＣＨの両方から送信され得る。ここで、ｓＰＤＣＣＨは、アップリンクｓＴＴＩ伝送およびダウンリンクｓＴＴＩ伝送の両方をスケジューリングするために使用される。ｓＰＤＣＣＨは、レガシー制御領域を除いて、各ダウンリンクｓＴＴＩにおいて送信されることができる。さらに、いくつかの実施形態では、スケジューリングされたｓＴＴＩ伝送のためのｓＴＴＩ（本明細書ではスケジューリングされたｓＴＴＩと呼ばれることもある）は、固定されたスケジューリングタイミングと、スケジューリングされたｓＴＴＩの数を示すｓＤＣＩのビットフィールドとによって判定される。
【００９１】
いくつかの実施形態では、ＤＭＲＳシンボルの数およびＤＭＲＳシンボルの位置の両方を含むＤＭＲＳ設定が複数のスケジューリングされたｓＴＴＩの可能な組み合わせごとに、シグナリング（たとえば、無線リソース制御（ＲＲＣ）信号）によって事前設定または設定される。いくつかの他の実施形態では、ＤＭＲＳシンボルの数およびＤＭＲＳシンボルの位置の両方を含む、スケジューリングされたｓＴＴＩのためのＤＭＲＳ設定はｓＤＣＩにおいて示される（例えば、ｓＤＣＩの別個のビットフィールドによって示される）。
【００９２】
いくつかの実施形態では、（それぞれ２つ以上のｓＴＴＩ上でスケジューリングされた２つ以上のスケジューリングされたｓＴＴＩ伝送のための）制御情報メッセージがサブフレームごとに１回だけ送信される。さらに、いくつかの実施形態では、制御情報メッセージがＰＤＣＣＨ上でのみ搬送される。
【００９３】
いくつかの実施形態では、制御情報メッセージがスロット当たり１回だけ送信される。例えば、それは、サブフレーム内の第１のスロットのためのＰＤＣＣＨ上で、およびサブフレーム内の第２のスロットの第１のｓＰＤＣＣＨ上で搬送される。さらに、いくつかの実施形態では、複数のスケジューリングされたｓＴＴＩの可能な組合せが事前定義され、ｓＤＣＩのビットフィールドが固定されたスケジューリングタイミングとともに、マルチｓＴＴＩ伝送のためのｓＴＴＩの選択された組合せを明示的に示すために使用される。
【００９４】
いくつかの実施形態では、スケジューリングされたｓＴＴＩは、スケジューリングされたｓＴＴＩの数を示すｓＤＣＩのビットフィールドと、少なくとも第１のスケジューリングされたｓＴＴＩのタイミングを示すｓＤＣＩのビットフィールドとによって判定される。
【００９５】
制御情報メッセージを受信すると、無線装置１２は、制御情報メッセージに従ってスケジューリングされたｓＴＴＩ伝送を受信（ダウンリンクの実施形態）または送信（アップリンクの実施形態）する（ステップ１０２）。すなわち、無線装置１２は、受信した制御情報メッセージに基づいて、データ復号（下りリンク）またはデータ送信（上りリンク）を行う。
【００９６】
以下では、アップリンクおよびダウンリンクの両方において、複数のスケジューリングされたｓＴＴＩ伝送をシグナリングする方法について、いくつかの例が提供される。
【００９７】
第１の実施形態では、ｓＤＣＩと呼ばれる制御情報メッセージが各ダウンリンクｓＴＴＩから送信することができる。連続するｓＴＴＩのみがスケジューリングされることができ、スケジューリングｓＴＴＩの最大数が３であると仮定して、シグナリングの例が以下に提示される。しかし、これは一例に過ぎないので、本開示はこれに限定されない。
【００９８】
図１２は、２または３シンボルｓＴＴＩ伝送のためのｎ＋６個のアップリンクスケジューリングタイミングを考慮して、ダウンリンクｓＴＴＩにおいて送信されるアップリンク許可からスケジューリングされ得る最も早いアップリンクｓＴＴＩを示す。例えば、サブフレーム当たり６つのｓＴＴＩがあると仮定すると、アップリンク許可がサブフレームｎ内のダウンリンクｓＴＴＩ  ０で送信される場合、この許可は、サブフレームｎ＋１内のアップリンクｓＴＴＩ  ０を最も早くスケジューリングすることができる。アップリンク許可がサブフレームｎ内のダウンリンクｓＴＴＩ  ０で送信されるマルチｓＴＴＩスケジューリング許可である場合、この許可は例えば、サブフレームｎ＋１内のアップリンクｓＴＴＩ  ０およびアップリンクｓＴＴＩ  １をスケジューリングすることができる（しかし、サブフレームｎ＋１内のアップリンクｓＴＴＩ  ０より早くはない）。
【００９９】
図１２に示される２または３シンボルｓＴＴＩ伝送のためのｎ＋６個のアップリンクスケジューリングタイミングを考慮すると、表１は、スケジューリングされた複数の連続するｓＴＴＩへのｓＤＣＩ内の１ビットフィールドの値のマッピングを与える。
0006934953.tif 000012
【０１００】
ダウンリンクスケジューリングについては、スケジューリングされたダウンリンクｓＴＴＩがｎ＋６個のスケジューリングタイミングの制約を有さないことを除いて、同じアプローチを適用することができる。代わりに、ダウンリンクスケジューリングタイミングはｎ＋０まで下がることができ、これは、ダウンリンクｓＴＴＩ  ｎにおいて見出されるダウンリンク割当てによってスケジューリングされることができる最も早いダウンリンクｓＴＴＩがダウンリンクｓＴＴＩ  ｎであることを意味する。表１Ａは、スケジューリングされた複数の連続するｓＴＴＩへのｓＤＣＩ内の１ビットフィールドの値のマッピングを与える。
0006934953.tif 000013
【０１０１】
スケジューリングされたマルチｓＴＴＩ組合せのそれぞれのＤＭＲＳ設定は、アップリンク伝送およびＤＭＲＳベースのダウンリンク伝送の両方について事前設定することができる。例えば、アップリンクマルチｓＴＴＩスケジューリングの場合、ＤＭＲＳは常に、第１のスケジューリングされたアップリンクｓＴＴＩの第１のＳＣ−ＦＤＭＡシンボルに配置される。別の例として、ダウンリンクマルチｓＴＴＩスケジューリングの場合、ＤＭＲＳは常に、第１のスケジューリングされたダウンリンクｓＴＴＩの第１のＯＦＤＭシンボルに配置される。また、ＲＲＣシグナリングによってＤＭＲＳ位置を再設定して、チャネル状態を適応させることも可能である。
【０１０２】
別の方法はＤＭＲＳ設定がチャネル状態に動的に適応できるように、ＤＭＲＳ設定を示すためにｓＤＣＩ内の別個のビットフィールドを使用することである。図１３はアップリンクにおけるいくつかのマルチｓＴＴＩ組み合わせのためのＤＭＲＳ設定を示すために、ｓＤＣＩにおいてどのように１ビットを使用するかの例を示す。
【０１０３】
ダウンリンクでは、マルチｓＴＴＩスケジューリングでスケジューリングされた一連のｓＴＴＩのうちの最初のｓＴＴＩには常にＤＭＲＳシンボルが存在しなければならない。これにより、ＵＥは単一のｓＴＴＩスケジューリングの場合のように、他のｓＴＴＩの前に、シリーズの最初のｓＴＴＩの復号を開始し、事前定義されたダウンリンクＨＡＲＱフィードバック遅延の後に、対応するダウンリンクＨＡＲＱフィードバックを送信することが可能になる。動的ＤＭＲＳ設定は、第１のｓＴＴＩから開始する一連のスケジューリングされたｓＴＴＩにおけるＤＭＲＳ挿入の周期性を変更することを可能にすることができる。例えば、ＤＭＲＳ設定のためのフィールドが０に設定される場合、一連のスケジューリングされたｓＴＴＩの最初のｓＴＴＩのみがＤＭＲＳを含む。フィールドが１に設定されている場合、シリーズの１つおきのｓＴＴＩは、最初のｓＴＴＩから始まるＤＭＲＳを含む。
【０１０４】
ダウンリンクでは、ＤＭＲＳ設定フィールドがシリーズ内のスケジューリングされたｓＴＴＩの数に応じて異なる解釈を有することもできる。例えば、ＤＭＲＳ設定のためのフィールドが０に設定され、シリーズ内のスケジューリングされたｓＴＴＩの数がサブフレーム内のｓＴＴＩの数未満である場合、スケジューリングされたｓＴＴＩのシリーズの最初のｓＴＴＩのみがＤＭＲＳを含む。ＤＭＲＳ設定のためのフィールドが０に設定され、シリーズ内のスケジューリングされたｓＴＴＩの数がサブフレームのｓＴＴＩの数（すなわち、ＬＴＥ  ２ｏｓ  ＴＴＩのための６ｓ  ＴＴＩ）に等しい場合、各ＬＴＥスロットの最初のｓＴＴＩはＤＭＲＳを含む。フィールドが１に設定されている場合、シリーズの１つおきのｓＴＴＩは、最初のｓＴＴＩから始まるＤＭＲＳを含む。
【０１０５】
第２の実施形態では、マルチｓＴＴＩスケジューリングのためのｓＤＣＩがＰＤＣＣＨからのみ送信されることができる。言い換えれば、ＵＥ（例えば、無線装置１２）におけるシグナリングオーバーヘッドおよびブラインド復号の複雑さを低減するために、マルチｓＴＴＩ  ＤＣＩとして定義されるマルチｓＴＴＩスケジューリングのためのｓＤＣＩが、ＰＤＣＣＨからのみ送信されることを制限することができる。以下では、連続するｓＴＴＩのみがマルチｓＴＴＩ  ＤＣＩにおいてスケジューリングされ得ると仮定して、２つのシグナリングの例が与えられる。しかし、これは一例に過ぎないので、本開示はこれに限定されない。
【０１０６】
この方法によって、ＵＥ（例えば、無線装置１２）は、ＰＤＣＣＨのみにおいてマルチｓＴＴＩ  ＤＣＩをモニタする。その結果、ＵＥは、ｓＰＤＣＣＨ上でのマルチｓＴＴＩスケジューリングのためのＤＣＩを期待しない。しかし、ＰＤＣＣＨでは、単一およびマルチｓＴＴＩ  ＤＣＩの両方をモニタする。さらに、ダウンリンク／アップリンク割当てのためのマルチｓＴＴＩスケジューリングがＰＤＣＣＨにおいて見つかった場合、ＵＥは、既にスケジューリングされたｓＴＴＩにおいてｓＤＣＩを探索する必要がない。ＰＤＣＣＨで送信されたマルチｓＴＴＩ  ＤＣＩによってスケジューリングされていないｓＴＴＩについては、ＵＥはｓＤＣＩをモニタしなければならない。
【０１０７】
第２の実施形態の第１の変形例では、スケジューリングされたｓＴＴＩを示すための単一ビットフィールドが制御情報に含まれる。図１４に示される２または３シンボルｓＴＴＩ伝送のためのｎ＋６個のアップリンクスケジューリングタイミングを考慮すると、表２は、ＰＤＣＣＨからマルチｓＴＴＩ  ＤＣＩを送信することによってスケジューリングされ得る複数の連続するｓＴＴＩのすべての可能な組み合わせを列挙する。４ビットは、アップリンクまたはダウンリンクのマルチｓＴＴＩスケジューリングのための全ての可能な組み合わせを示すのに十分であることが分かる。この場合、ダウンリンクｓＴＴＩはマルチｓＴＴＩ  ＤＣＩが送信されるのと同じサブフレームに属し、アップリンクｓＴＴＩは、次のサブフレームにあることに留意されたい。
【０１０８】
他のアップリンクスケジューリングタイミングについても同様の方法を用いることができる。例えば、図１５及び表３に示すように、ｎ＋４個のスケジューリングタイミングを考慮すると、スケジューリングされた複数のｓＴＴＩを示すために４ビットを使用することも可能である。この場合、ｓＴＴＩ  ４およびｓＴＴＩ  ５はマルチｓＴＴＩ  ＤＣＩが送信されるのと同じサブフレーム内にあり、一方、ｓＴＴＩ  ０、１、２、および３は、次のサブフレーム内にあることに留意されたい。
0006934953.tif 000014
0006934953.tif 000015
【０１０９】
実際には、表１および表２に示されるこれら１５の組み合わせの全てが必要とされるわけではない。例えば、良好なチャネル推定性能を維持するために、許容される連続するｓＴＴＩの最大数を３に制限することができる。この場合、信号に必要なのは３ビットだけである。いくつかの組み合わせ、例えば、すべてのスケジューリングされたｓＴＴＩが同じサブフレーム内にない、または同じスロット内にない組み合わせを除去することによって、シグナリングオーバーヘッドを低減することも可能である。
【０１１０】
記載された方法の拡張として、予約された組み合わせ（例えば、１１１１）は、単一のｓＴＴＩスケジューリングのためのシグナリングを伝達するために再使用されることができる。それによって、ｅＮＢは、ＰＤＣＣＨにおいて同じマルチｓＴＴＩ  ＤＣＩフォーマットを使用して、単一または複数のｓＴＴＩのいずれかをスケジューリングすることができる。これを考慮すると、ＵＥは、ＰＤＣＣＨ上でマルチｓＴＴＩ（ダウンリンクおよびアップリンク）ＤＣＩのみをモニタすることができる。例えば、ビットフィールドがダウンリンクマルチｓＴＴＩ  ＤＣＩにおいて１１１１に設定されている場合、スケジューリングされたダウンリンクｓＴＴＩインデックスは０であり、ビットフィールドがアップリンクマルチｓＴＴＩ  ＤＣＩにおいて１１１１に設定されている場合、スケジューリングされたアップリンクｓＴＴＩインデックスはそれぞれ、ｎ＋４およびｎ＋６アップリンクスケジューリングタイミングについて、同じサブフレームにおいて４であり、次のサブフレームにおいて０である。方法１に関して上述したＤＭＲＳ設定に関する方法は、方法２にも適用される。ＰＤＣＣＨで送信されたマルチｓＴＴＩ  ＤＣＩによってスケジューリングされていないｓＴＴＩについては、ＵＥはｓＤＣＩをモニタしなければならない。
【０１１１】
第２の実施形態の第２の変形では、２つの異なるビットフィールドが制御情報に含まれ、スケジューリングされたｓＴＴＩを示すために使用される。言い換えれば、スケジューリングされた複数のｓＴＴＩをシグナリングするための別の方法は、２つの別個のビットフィールドを使用することによるものであり、一方は第１のスケジューリングされたｓＴＴＩのタイミング、すなわち、ｎ＋ｋ＋Δｌを示すためのものであり、他方は、スケジューリングするｓＴＴＩの数を示すためのものである。表４は、ｎ＋６の最小のスケジューリングタイミングを仮定して、このシグナリング方法を使用する例を示す。この場合、ダウンリンクｓＴＴＩはマルチｓＴＴＩ  ＤＣＩが送信されるのと同じサブフレームに属し、アップリンクｓＴＴＩは、次のサブフレームにあることに留意されたい。
【０１１２】
同様に、いくつかの組み合わせを除去することによって、必要なシグナリングビットの数を減らすことができる。
0006934953.tif 000016
【０１１３】
第２の実施形態の第１の変形における拡張と同様に、単一のｓＴＴＩスケジューリングは、マルチｓＴＴＩ  ＤＣＩによってサポートされることができる。ＵＥは、ＰＤＣＣＨ中のマルチｓＴＴＩ（ダウンリンク／アップリンク）ＤＣＩのみをモニタすることができる。ＰＤＣＣＨで送信されたマルチｓＴＴＩ  ＤＣＩによってスケジューリングされていないｓＴＴＩについては、ＵＥはｓＤＣＩをモニタしなければならない。
【０１１４】
第３の実施形態では、スロットベースのマルチｓＴＴＩスケジューリングＤＣＩが提供される。第３の実施形態は、最小１つの完全なスロットをスケジューリングすることを可能にする。第３の実施形態は、第１および第２の実施形態のサブセットとして見ることができる。スロットベースのマルチｓＴＴＩ  ＤＣＩを使用して、ｅＮＢは最初のスロットのすべてのｓＴＴＩ、２番目のスロットのすべてのｓＴＴＩ、または両方のスロットのすべてのｓＴＴＩをスケジューリングできる。一例を表５に示す。
【０１１５】
マルチｓＴＴＩ  ＤＣＩは、サブフレームの第２のスロットにおける第１のｓＴＴＩに加えて、またはＰＤＣＣＨに制限されることができる。
【０１１６】
サブフレーム当たり６つのｓＴＴＩおよびｎ＋６のアップリンクスケジューリングタイミングの場合、第３の実施形態は、スロットの第１のダウンリンクｓＴＴＩからスロットの複数のアップリンクｓＴＴＩをスケジューリングするのによく適している。しかしながら、第３の実施形態はｎ＋ｋにおけるアップリンクスケジューリングタイミングｋがサブフレーム当たりのｓＴＴＩの数ｐに対応しない（すなわち、ｐがｋに等しくない）場合にも適用することができる。その場合には、２つの代替が存在する。第１の代替では、ダウンリンクｓＴＴＩ  ｎで受信されたマルチｓＴＴＩアップリンク許可がアップリンクスケジューリングタイミングｎ＋ｋで、またはアップリンクスケジューリングタイミングｎ＋ｋの後で最も早く開始するスロットのｓＴＴＩのスケジューリングを示すように、ＵＥのための規則が定義される。第２の代替では、ｎ＋ｋの後の次の可能なスロットから開始するようにスケジューリングされたｓＴＴＩのタイミングを調整するために、アップリンクマルチｓＴＴＩ  ＤＣＩにおいてタイミングオフセットΔｌをシグナリングすることができる。
0006934953.tif 000017
【０１１７】
シングルｓＴＴＩのスケジューリングは、予約された組み合わせを再使用することによって、マルチｓＴＴＩ  ＤＣＩによってサポートされることができる。したがって、ＵＥは、ＰＤＣＣＨ内のマルチｓＴＴＩ（ダウンリンク／アップリンク）ＤＣＩおよび第２のスロットの第１のｓＴＴＩのみをモニタすることができる。それぞれのマルチｓＴＴＩ  ＤＣＩによってスケジューリングされていない各スロット内のｓＴＴＩについて、ＵＥは、ｓＤＣＩをモニタしなければならない。
【０１１８】
マルチｓＴＴＩ  ＤＣＩに関する本開示の他の態様を、ここで説明する。マルチｓＴＴＩスケジューリング、すなわちマルチｓＴＴＩ  ＤＣＩのためのＤＣＩ内の追加ビットの数を制限するために、同じＭＣＳ、プリコーディング・マトリックス・インジケータ（ＰＭＩ）、およびリソース割当てなどの制約が有効なオプションである。これらのフィールドは、連続するｓＴＴＩ内で有意に変化するとは予想されない。以下のフィールドはｓＴＴＩごとに拡張されず、代わりに、同じ値が、すべてのスケジューリングされたｓＴＴＩに適用される。
−リソース割当てヘッダ（リソース割当てタイプ０／タイプ１）  
−リソースブロック割当て  
−ＰＵＣＣＨのＴＣＰコマンド  
−ダウンリンク割当てインデックス  
−ＨＡＲＱプロセス番号  
−ＭＣＳ／ＴＢ
−ＴＭに応じたプリコーディング情報  
【０１１９】
一方、ＲＶおよびＮＤＩフィールドは１つのＤＣＩを使用して、新しいデータの多重化および異なるｓＴＴＩ上での再送信を可能にするために、ｓＴＴＩごとに指定されるべきである。これにより、ＮＤＩフィールドの長さは、マルチｓＴＴＩスケジューリングのためにＤＣＩによってスケジューリングされる、設定された最大のｓＴＴＩ数に等しい。
【０１２０】
ＨＡＲＱ識別子（ＩＤ）番号に関して、マルチサブフレームスケジューリングのためのＤＣＩは、スケジューリングされたバースト内の第１のサブフレーム（ｉ）のためのＨＡＲＱプロセス番号を含む。（ｉ＋１，．．．Ｎ−１）における残りのサブフレームに対するＨＡＲＱプロセス番号は、以下の式に基づいて判定される。
−ｍｏｄ（ｎHARQ_ID＋ｉ，ＮHARQ）
−ｎHARQ_IDの値は対応するＤＣＩフォーマットにおけるＨＡＲＱプロセス番号フィールドによって判定される
−ＮHARQの値は設定されたＨＡＲＱプロセスの数である
−Ｎの値は、対応するＤＣＩフォーマットにおけるスケジューリングされたｓＴＴＩの数によって判定される
【０１２１】
図１６は本開示のいくつかの実施形態による無線装置１２（たとえば、ＵＥ）の概略ブロック図である。図示のように、無線装置１２は１つ以上のプロセッサ２２（たとえば、中央処理ユニット（ＣＰＵ）、特定用途向け集積回路（ＡＳＩＣ）、フィールドプログラマブルゲートアレイ（ＦＰＧＡ）、デジタル信号プロセッサ（ＤＳＰ）、および／または同様のもの）と、メモリ２４とを備える回路２０を含む。無線装置１２はまた、１つ以上のアンテナ３２に結合された１つ以上の送信器２８および１つ以上の受信器３０をそれぞれが含む１つ以上のトランシーバ２６を含む。いくつかの実施形態では、本明細書で説明される無線装置１２の機能（たとえば、ＵＥの機能）はハードウェアで（たとえば、回路２０内のハードウェアおよび／またはプロセッサ２２内のハードウェアを介して）実施されてもよく、またはハードウェアおよびソフトウェアの組合せで実施されてもよい（たとえば、メモリ２４に記憶され、プロセッサ２２によって実行されるソフトウェアで完全にまたは部分的に実施される）。
【０１２２】
いくつかの実施形態では、少なくとも１つのプロセッサ２２によって実行されるときに、本明細書で説明される実施形態のいずれかに従って、少なくとも１つのプロセッサ２２に、無線装置１２の機能性（たとえば、ＵＥの機能性）のうちの少なくともいくつかを実行させる命令を含むコンピュータプログラムが提供される。いくつかの実施形態では、前述のコンピュータプログラム製品を含むキャリアが提供される。キャリアは電子信号、光信号、無線信号、またはコンピュータ可読記憶媒体（例えば、メモリなどの非一時的なコンピュータ可読媒体）のうちの１つ。
【０１２３】
図１７は本開示のいくつかの他の実施形態による無線装置１２（たとえば、ＵＥ）の概略ブロック図である。無線装置１２は１つ以上のモジュール３４を含み、モジュール３４の各々は、ソフトウェアで実装される。モジュール３４は、本明細書で説明される無線装置１２の機能を提供する。例えば、モジュール３４は、図１１のステップ１０２の機能を実行するように動作可能な受信／送信モジュールを含むことができる。
【０１２４】
図１８は本開示のいくつかの実施形態によるネットワークノード３６（たとえば、ｅＮＢまたはｇＮＢなどの無線アクセスノード１４）またはコアネットワークノードの概略ブロック図である。図示のように、ネットワークノード３６は１つ以上のプロセッサ４０（例えば、ＣＰＵ、ＡＳＩＣ、ＤＳＰ、ＦＰＧＡなど）およびメモリ４２を備える回路を含む制御システム３８を含む。制御システム３８はまた、ネットワークインタフェース４４を含む。ネットワークノード３６が無線アクセスノード１４である実施形態では、ネットワークノード３６が１つ以上のアンテナ５２に結合された１つ以上の送信器４８および１つ以上の受信器５０をそれぞれ含む１つ以上の無線ユニット４６も含む。いくつかの実施形態では、上述のネットワークノード３６の機能（具体的には無線アクセスノード１４またはｅＮＢの機能）が例えば、メモリ４２に格納され、プロセッサ４０によって実行されるソフトウェアで完全にまたは部分的に実装され得る。
【０１２５】
図１９は本開示のいくつかの実施形態によるネットワークノード３６（例えば、無線アクセスノード１４またはコアネットワークノード）の仮想化された実施形態を示す概略ブロック図である。本明細書で使用されるように、「仮想化された」ネットワークノード３６は、ネットワークノード３６の機能の少なくとも一部が（例えば、ネットワーク内の物理処理ノード上で実行される仮想マシンを介して）仮想コンポーネントとして実施されるネットワークノード３６である。図示されているように、ネットワークノード３６は図１８に関して説明されているように、任意選択で制御システム３８を含む。さらに、ネットワークノード３６が無線アクセスノード１４である場合、ネットワークノード３６は図１８に関して説明されているように、１つ以上の無線ユニット４６も含む。制御システム３８（存在する場合）は、ネットワークインタフェース４４を介してネットワーク５６に結合されるか、またはネットワーク５６の一部として含まれる１つ以上の処理ノード５４に接続される。あるいは制御システム３８が存在しない場合、１つ以上の無線ユニット４６（存在する場合）はネットワークインタフェースを介して１つ以上の処理ノード５４に接続される。代替として、本明細書で説明されるネットワークノード３６の機能のすべて（例えば、無線アクセスノード１４またはｅＮＢの機能のすべて）は、処理ノード５４において実施され得る。各処理ノード５４は１つ以上のプロセッサ５８（例えば、ＣＰＵ、ＡＳＩＣ、ＤＳＰ、ＦＰＧＡなど）、メモリ６０、およびネットワークインタフェース６２を含む。
【０１２６】
この例では本明細書で説明するネットワークノード３６の機能６４（たとえば、無線アクセスノード１４またはｅＮＢの機能）は１つ以上の処理ノード５４で実施されるか、または制御システム３８（存在する場合）および１つ以上の処理ノード５４にわたって任意の所望の方法で分散される。いくつかの特定の実施形態では、本明細書で説明されるネットワークノード３６の機能６４のいくつかまたはすべては処理ノード５４によってホストされる仮想環境で実施される１つ以上の仮想マシンによって実行される仮想コンポーネントとして実装される。当業者には理解されるように、処理ノード５４と制御システム３８（存在する場合）または無線ユニット４６（存在する場合）との間の追加のシグナリングまたは通信は、所望の機能の少なくともいくつかを実行するために使用される。特に、いくつかの実施形態では制御システム３８は含まれなくてもよく、その場合、無線ユニット４６（存在する場合）は適切なネットワークインタフェースを介して処理ノード５４と直接通信する。
【０１２７】
いくつかの特定の実施形態ではネットワークノード３６のより高いレイヤ機能（例えば、レイヤ３、およびプロトコルスタックのレイヤ２のうちのいくつか、および場合によってはいくつか）は仮想コンポーネント（すなわち、「クラウド」で実施される）として処理ノード５４で実施されてもよく、一方、より低いレイヤ機能（例えば、プロトコルスタックのレイヤ１および場合によってはレイヤ２のうちのいくつか）は無線ユニット４６および場合によっては制御システム３８で実施されてもよい。
【０１２８】
いくつかの実施形態では、少なくとも１つのプロセッサ４０、５８によって実行されると、少なくとも１つのプロセッサ４０、５８に、本明細書で説明する実施形態のいずれかによるネットワークノード３６または処理ノード５４の機能を実行させる命令を含むコンピュータプログラムが提供される。いくつかの実施形態では、前述のコンピュータプログラム製品を含むキャリアが提供される。キャリアは電子信号、光信号、無線信号、またはコンピュータ可読記憶媒体（例えば、メモリ６０などの非一時的なコンピュータ可読媒体）のうちの１つである。
【０１２９】
図２０は本開示のいくつかの他の実施形態によるネットワークノード３６（例えば、無線アクセスノード１４またはコアネットワークノード）の概略ブロック図である。ネットワークノード３６は１つ以上のモジュール６６を含み、モジュール６６の各々は、ソフトウェアで実装される。モジュール６６は、本明細書で説明するネットワークノード３６の機能を提供する。いくつかの実施形態では、モジュール６６が例えば、図１１のステップ１００に関して上述したように、制御情報メッセージを送信するように動作可能な送信モジュールを備える。
【０１３０】
これに限定されるものではないが、本開示のいくつかの例示的な実施形態が以下に提供される。
【０１３１】
実施形態１：複数のｓＴＴＩ伝送をスケジューリングするための無線通信ネットワーク（１０）のネットワークノード（１４）の動作方法であって、（１００）制御情報メッセージを１つ以上のｓＴＴＩ伝送のために無線装置（１２）に送信することを含み、制御情報メッセージは、１つ以上のスケジューリングされたｓＴＴＩ伝送のための１つ以上のスケジューリングされたｓＴＴＩをそれぞれ示すスケジューリング情報、および／または１つ以上のスケジューリングされたｓＴＴＩ伝送のための１つ以上のスケジューリングされたｓＴＴＩのためのタイミングのインジケーション、および／または１つ以上のスケジューリングされたｓＴＴＩ伝送のための１つ以上のスケジューリングされたｓＴＴＩのためのＤＭＲＳ設定のインジケーションを含む、動作方法。
【０１３２】
実施形態２：１つ以上のｓＴＴＩ伝送が、１つ以上のアップリンクｓＴＴＩ伝送および／または１つ以上のダウンリンクｓＴＴＩ伝送を含む、実施形態１に記載の方法。
【０１３３】
実施形態３：１つ以上のｓＴＴＩ伝送が、それぞれ２つ以上のｓＴＴＩについてスケジューリングされた２つ以上のｓＴＴＩ伝送を含む、実施形態１または２に記載の方法。
【０１３４】
実施形態４：２つ以上のスケジューリングされたｓＴＴＩが時間領域において連続する、実施形態３に記載の方法。
【０１３５】
実施形態５：制御情報メッセージは、物理ダウンリンク制御チャネル上で送信される、実施形態１〜４のいずれか１つに記載の方法。
【０１３６】
実施形態６：制御情報メッセージは、ｓＴＴＩ伝送をスケジューリングするために使用されるショート物理ダウンリンク制御チャネル上で送信される、実施形態１〜４のいずれか１つに記載の方法。
【０１３７】
実施形態７：制御情報メッセージは、アップリンクｓＴＴＩ伝送およびダウンリンクｓＴＴＩ伝送の両方をスケジューリングするために使用される物理ダウンリンク制御チャネルまたは短物理ダウンリンク制御チャネルのいずれかで送信され得る、実施形態１から４のいずれか１つに記載の方法。
【０１３８】
実施形態８：レガシー制御領域を除いて、各ダウンリンクｓＴＴＩにおいてショート物理ダウンリンク制御チャネルを送信することができる、実施形態６または７に記載の方法。
【０１３９】
実施形態９：制御情報メッセージはスケジューリングされたｓＴＴＩの数を示すビットフィールドを含み、スケジューリングされたｓＴＴＩは、固定スケジューリングタイミングと、スケジューリングされたｓＴＴＩの数を示す制御情報メッセージのビットフィールドとによって判定される、実施形態１から８のいずれか１つに記載の方法。
【０１４０】
実施形態１０：１つ以上のスケジューリングされたｓＴＴＩ伝送はそれぞれ、２つ以上のスケジューリングされたｓＴＴＩ上でスケジューリングされた２つ以上のｓＴＴＩ伝送を含み、２つ以上のｓＴＴＩ伝送の複数の可能な組み合わせが事前定義され、制御情報メッセージのビットフィールドが固定されたスケジューリングタイミングとともに、ｓＴＴＩ伝送のためのｓＴＴＩの選択された組み合わせを明示的に示すために使用される、実施形態１から８のいずれか１つの方法。
【０１４１】
実施形態１１：制御情報メッセージはスケジューリングされたｓＴＴＩの数を示す第１のビットフィールドと、１つ以上のｓＴＴＩのうちの少なくとも第１のスケジューリングされたｓＴＴＩのタイミングを示す第２のビットフィールドとを含み、スケジューリングされたｓＴＴＩは、スケジューリングされたｓＴＴＩの数を示す制御情報メッセージの第１のビットフィールドと、少なくとも第１のスケジューリングされたｓＴＴＩのタイミングを示す制御情報メッセージの第２のビットフィールドとによって判定される、実施形態１から８のいずれか１つに記載の方法。
【０１４２】
実施形態１２：１つ以上のスケジューリングされたｓＴＴＩ伝送が２つ以上のスケジューリングされたｓＴＴＩ上でそれぞれスケジューリングされた２つ以上のｓＴＴＩ伝送を含み、いくつかのＤＭＲＳシンボルおよびＤＭＲＳシンボル位置の両方を含むＤＭＲＳ設定が２つ以上のスケジューリングされたｓＴＴＩの可能な組合せごとに、事前設定またはシグナリングによって設定される、実施形態１から１１のいずれか１つの方法。
【０１４３】
実施形態１３：１つ以上のスケジューリングされたｓＴＴＩ伝送がそれぞれ２つ以上のスケジューリングされたｓＴＴＩ上でスケジューリングされた２つ以上のｓＴＴＩ伝送を含み、いくつかのＤＭＲＳシンボルおよびＤＭＲＳシンボル位置の両方を含む、スケジューリングされたｓＴＴＩのためのＤＭＲＳ設定が、制御情報メッセージの別個のビットフィールドによって判定される、実施形態１から１１のいずれか１つの方法。
【０１４４】
実施形態１４：制御情報メッセージは、サブフレームごとに１回だけ送信され、ＰＤＣＣＨ上でのみ搬送される、実施形態１〜１３のいずれか１つに記載の方法。
【０１４５】
実施形態１５：制御情報メッセージはスロットごとに１回だけ送信される（例えば、サブフレーム内の第１のスロットのＰＤＣＣＨ上で、およびサブフレーム内の第２のスロットの第１のショートＰＤＣＣＨ上で搬送される）実施形態１から１３のいずれか１つに記載の方法。
【０１４６】
実施形態１６：複数のｓＴＴＩ伝送をスケジューリングするための無線通信ネットワーク（１０）のためのネットワークノード（１４）であって、ネットワークノード（１４）は、実施形態１〜１５のいずれか１つの方法を実行するように適合されている。
【０１４７】
実施形態１７：複数のｓＴＴＩ伝送をスケジューリングするための無線通信ネットワーク（１０）のためのネットワークノード（１４）であって、少なくとも１つのプロセッサ（４０、５８）と、少なくとも１つのプロセッサ（４０、５８）によって実行可能な命令を記憶するメモリ（４２、６０）とを備え、それによってネットワークノード（１４）は、実施形態１〜１５のいずれか１つの方法を実行するように動作可能でネットワークノード（１４）。
【０１４８】
実施形態１８：実施形態１〜１５のいずれか１つの方法を実行するように動作可能な１つ以上のモジュール（６６）を備える、複数のｓＴＴＩ伝送をスケジューリングするための無線通信ネットワーク（１０）のためのネットワークノード（１４）。
【０１４９】
実施形態１９：少なくとも１つのプロセッサ上で実行されると、少なくとも１つのプロセッサに、実施形態１〜１５のいずれか１つによる方法を実行させる命令を含むコンピュータプログラム。
【０１５０】
実施形態２０：キャリアは、電子信号、光信号、無線信号、またはコンピュータ可読記憶媒体のうちの１つである、実施形態１９に記載のコンピュータプログラムを含むキャリア。
【０１５１】
実施形態２１：無線通信ネットワーク（１０）における無線装置（１２）の動作方法であって、ネットワークノード（１４）から、１つ以上のｓＴＴＩ伝送のための制御情報メッセージを受信するステップ（１００）を含み、制御情報メッセージは、１つ以上のスケジューリングされたｓＴＴＩ伝送のための１つ以上のスケジューリングされたｓＴＴＩをそれぞれ示すスケジューリング情報と、１つ以上のスケジューリングされたｓＴＴＩ伝送のための１つ以上のスケジューリングされたｓＴＴＩのためのタイミングのインジケーションと、１つ以上のスケジューリングされたｓＴＴＩ伝送のための１つ以上のスケジューリングされたｓＴＴＩのためのＤＭＲＳ設定のインジケーションとの少なくともいずれかと、制御情報メッセージに従って１つ以上のｓＴＴＩ伝送を送信および／または受信するステップ（１０２）とを含む、方法。
【０１５２】
実施形態２２：無線通信ネットワーク（１０）のための無線装置（１２）であって、無線装置（１２）は、実施形態２１の方法を実行するように適合される無線装置（１２）。
【０１５３】
実施形態２３：無線通信ネットワーク（１０）のための無線装置（１２）であって、少なくとも１つのトランシーバ（２６）と、少なくとも１つのトランシーバ（２６）に関連付けられた回路（２０）とを備え、回路（２０）は少なくとも１つのトランシーバ（２６）を介してネットワークノード（１４）から、１つ以上のｓＴＴＩ伝送のための制御情報メッセージを受信するように動作可能であり、制御情報メッセージは、１つ以上のスケジューリングされたｓＴＴＩ伝送のための１つ以上のスケジューリングされたｓＴＴＩをそれぞれ示すスケジューリング情報と、１つ以上のスケジューリングされたｓＴＴＩ伝送のための１つ以上のスケジューリングされたｓＴＴＩのためのタイミングのインジケーションと、１つ以上のスケジューリングされたｓＴＴＩ伝送のための１つ以上のスケジューリングされたｓＴＴＩのためのＤＭＲＳ設定のインジケーションとの少なくとも１つ以上のトランシーバ（２６）を介して、制御情報メッセージに従って１つ以上のｓＴＴＩ伝送を送信および／または受信する無線装置（１２）。
【０１５４】
実施形態２４：ネットワークノード（１４）から、１つ以上のｓＴＴＩ伝送のための制御情報メッセージを受信するように動作可能な受信モジュール（３４）であって、制御情報メッセージは、１つ以上のスケジューリングされたｓＴＴＩ伝送のための１つ以上のスケジューリングされたｓＴＴＩをそれぞれ示すスケジューリング情報、および／または１つ以上のスケジューリングされたｓＴＴＩ伝送のための１つ以上のスケジューリングされたｓＴＴＩ伝送のための１つ以上のスケジューリングされたｓＴＴＩのためのタイミングのインジケーション、および／または１つ以上のスケジューリングされたｓＴＴＩ伝送のための１つ以上のスケジューリングされたｓＴＴＩのためのＤＭＲＳ設定のインジケーションを備える、受信モジュール（３４）と、制御情報メッセージに従って１つ以上のｓＴＴＩ伝送を送信および／または受信するように動作可能な送信／受信モジュール（３４）とを備える、無線通信ネットワーク（１０）のための無線装置（１２）。
【０１５５】
実施形態２５：少なくとも１つのプロセッサ上で実行されると、少なくとも１つのプロセッサに実施形態２１による方法を実行させる命令を含むコンピュータプログラム。
【０１５６】
実施形態２６：キャリアが、電子信号、光信号、無線信号、またはコンピュータ可読記憶媒体のうちの１つである、実施形態２５に記載のコンピュータプログラムを含むキャリア。
【０１５７】
以下の頭字語は、本開示全体を通して使用される。
３ＧＰＰ          第３世代パートナーシッププロジェクト  
５Ｇ              第５世代  
ＡＳＩＣ          特定用途向け集積回路  
ＢＬＥＲ          ブロック誤り率  
ＣＰ              サイクリックプレフィックス  
ＣＰＵ            中央処理ユニット
ＣＲＣ            巡回冗長検査  
Ｃ−ＲＮＴＩ      セル無線ネットワーク一時識別子  
ＣＲＳ            セル固有の参照信号  
ＣＳＩ            チャネル状態情報  
ＣＳＩ−ＲＳ      チャネル状態情報参照信号  
ＤＣＩ            ダウンリンク制御情報  
ＤＭＲＳ          復調参照信号  
ＤＳＰ            デジタルシグナルプロセッサ  
ｅＮＢ            拡張または発展型ノードＢ  
ｅＰＤＣＣＨ      拡張物理ダウンリンク制御チャネル  
ＦＤＤ            周波数分割二重
ＦＰＧＡ          フィールドプログラマブルゲートアレイ
ｇＮＢ            Ｎｅｗ  Ｒａｄｉｏ基地局  
ＨＡＲＱ          ハイブリッド自動再送要求  
ＨＴＴＰ          ハイパテキスト転送プロトコル  
ＩＤ              識別子  
ＬＴＥ            ロングタームエボリューション
ＬＴＥ−Ａ        ロングタームエボリューションアドバンスト
ＭＣＳ            変調符号化方式  
ＭＭＥ            モビリティ管理エンティティ  
ｍｓ              ミリ秒  
ＭＴＣ            マシンタイプ通信  
ＮＤＩ            新規データインジケータ  
ＯＦＤＭ          直交周波数分割多重
ＰＣＦＩＣＨ      物理制御フォーマットインジケータチャネル  
ＰＤＣＣＨ        物理ダウンリンク制御チャネル  
ＰＤＳＣＨ        物理ダウンリンク共有チャネル  
Ｐ−ＧＷ          パケットデータネットワークゲートウェイ  
ＰＭＩ            プリコーディングマトリックスインジケータ  
ＰＲＢ            物理リソースブロック  
ＰＵＣＣＨ        物理アップリンク制御チャネル  
ＰＵＳＣＨ        物理アップリンク共有チャネル  
ＲＡＴ            無線アクセス技術  
ＲＢ              リソースブロック  
ＲＥ              リソースエレメント  
ＲＮＴＩ          無線ネットワーク一時識別子  
ＲＲＣ            無線リソース制御  
ＲＶ              冗長化バージョン  
ｓＤＣＩ          ショートダウンリンク制御情報  
ＳＣＥＦ          サービス機能露出機能  
ＳＣ−ＦＤＭＡ    単一キャリア周波数分割多元接続  
ＳＣ−ＯＦＤＭ    単一キャリア直交周波数分割多重化  
ＳＩ−ＲＮＴＩ    システム情報無線ネットワーク一時識別子  
ｓＰＤＣＣＨ      ショート物理ダウンリンク制御チャネル  
ｓＰＤＳＣＨ      ショート物理ダウンリンク共有チャネル  
ｓＰＵＳＣＨ      ショート物理アップリンク共有チャネル  
ＳＲＳ            サウンディング参照信号  
ｓＴＴＩ          ショート伝送時間間隔  
ＴＣＰ            伝送制御プロトコル  
ＴＤＤ            時分割二重
ＴＳ              技術仕様  
ＴＴＩ            伝送時間間隔  
ＵＥ              ユーザ機器  
【０１５８】
当業者は、本開示の実施形態に対する改良および修正を認識するのであろう。全てのそのような改良及び修正は、本明細書に開示された概念の範囲内にあると考えられる。
【図１】
0006934953.tif 000018
【図２】
0006934953.tif 000019
【図３】
0006934953.tif 000020
【図４】
0006934953.tif 000021
【図５】
0006934953.tif 000022
【図６】
0006934953.tif 000023
【図７】
0006934953.tif 000024
【図８】
0006934953.tif 000025
【図９】
0006934953.tif 000026
【図１０】
0006934953.tif 000027
【図１１】
0006934953.tif 000028
【図１２】
0006934953.tif 000029
【図１３】
0006934953.tif 000030
【図１４】
0006934953.tif 000031
【図１５】
0006934953.tif 000032
【図１６】
0006934953.tif 000033
【図１７】
0006934953.tif 000034
【図１８】
0006934953.tif 000035
【図１９】
0006934953.tif 000036
【図２０】
0006934953.tif 000037